(57)【要約】【課題】  ヘルメットの着用者の視野とは異なる視野を容易に撮像することができ、しかも、その構成が簡単である。【解決手段】  ヘルメット４の側面に半球状の基部６を取り付け、支持部１２が、この基部６の外表面に接触部１４を面接触させ回動自在としている。ヘルメット４の前方を撮像可能に、支持部１２にＣＣＤカメラ２６が取り付けられている。【選択図】        図１
0003158112.tif 000002
【実用新案登録請求の範囲】
【請求項１】
ヘルメットの側面に取り付けられる半球状の基部と、
この基部の外表面に面接触し回動自在な接触部を、有している支持部と、
前記ヘルメットの前方を撮像可能に、前記支持部に取り付けられている撮像手段とを、
具備するヘルメット装着用撮影装置。
【請求項２】
請求項１記載のヘルメット装着用撮影装置において、前記支持部は、前記接触部から離れた位置に、前記撮像手段の取付部を有し、この取付部が前記接触部に結合されているヘルメット装着用撮影装置。
【請求項３】
請求項２記載のヘルメット装着用撮影装置において、前記支持部は、前記基部と同心に配置され、内表面が前記基部の外表面に面接触している椀状に形成され、前記支持部及び前記基部を貫通し、これらの中心を通る軸線上に位置する回転軸の回りに回転可能であるヘルメット装着用撮影装置。
【請求項４】
請求項１記載のヘルメット装着用撮影装置において、前記基部は、その周縁部にフランジを有し、このフランジが両面テープによってヘルメットに取り付けられているヘルメット装着用撮影装置。
【考案の詳細な説明】
【技術分野】
【０００１】
本考案は、撮影装置に関し、特に、ヘルメットに取り付けられるものに関する。
【背景技術】
【０００２】
従来、ヘルメットに取り付けられる撮影装置としては、特許文献１に開示されているようなものがあった。この撮影装置は、野球の球審が使用するヘルメットの頂部に前後方向に貫通する孔を設け、この孔内に前方を撮影するようにＣＣＤカメラを挿入したものである。
【先行技術文献】
【特許文献】
【０００３】
【特許文献１】特開平６−１２１２０１号公報
【考案の概要】
【考案が解決しようとする課題】
【０００４】
特許文献１の技術によれば、球審が見ているのとほぼ同じ状況を撮影することができるしかし、この技術を例えばオートバイの運転者が被るヘルメットに適用した場合、運転者はオートバイの運転中、主に前方を見続けているので、ＣＣＤカメラの視野は、運転者が首を動かさない限りほぼ一定となる。オートバイの運転者がカメラによる撮影を行う場合に運転者の視野と異なった視野で撮影したい場合があるが、特許文献１の技術では、ＣＣＤカメラの位置を変更することができないので、このような要望に応えることができず、運転者が撮像したい方向に首を動かさなければならず、安全に運転することができない。
【０００５】
本考案は、ヘルメットの装着者の視野と異なる視野に撮影視野を運転に障害を生じることなく調整することができるヘルメット装着用の撮像装置を提供することを目的とする。
【課題を解決するための手段】
【０００６】
本考案の一態様のヘルメット装着用撮像装置では、ヘルメット、例えば乗用ヘルメットの側面に半球状の基部が取り付けられる。この基部は例えばフランジを有し、このフランジが例えば両面テープによってヘルメットの側面に取り付けられる。この基部の外表面に面接触し回動自在な接触部を、支持部が有している。前記ヘルメットの前方を撮像可能に、前記支持部に撮像手段が取り付けられている。撮像手段としては、動画撮影可能なものや静止画撮影可能なもののいずれでも使用可能である。
【０００７】
本考案のヘルメット装着用の撮像装置では、支持部が基部に回動自在に設けられているので、支持部に設けられている撮像手段も回動自在である。従って、運転者の視野と異なる視野を撮像する場合、支持部を回動させることによって容易に対応することができる。
【０００８】
支持部は、前記接触部から離れた位置に、撮像手段の取付部を有し、この取付部が前記接触部に結合されているものとすることができる。このように構成されているので、撮像手段が接触部から離れて位置し、撮像される視野を変化させる範囲を大きくすることができる。
【０００９】
支持部を、基部と同心に配置され、内表面が前記基部の外表面に面接触している椀状に形成することができる。この場合、支持部及び基部を貫通して回転軸が設けられる。回転軸は、支持部及び基部の中心を通る軸線上に位置し、この回転軸の回りに支持部が回転可能である。このように構成されているので、回転軸の回りを円滑に支持部が回転し、これに伴い撮像手段も円滑に回転する。
【考案の効果】
【００１０】
以上のように、本考案によれば、ヘルメットの着用者の視野とは異なる視野を容易に撮像することができ、しかも、その構成が簡単であり、メンテナンスも容易に行える。
【図面の簡単な説明】
【００１１】
【図１】本考案の１実施形態の撮像装置の縦断面図である。
【図２】図１の撮像装置をヘルメットに取り付けた状態の側面図である。
【考案を実施するための形態】
【００１２】
本考案の１実施形態の撮影装置２は、図２に示すようにオートバイ用のヘルメット４の一方の側面に取り付けられている。撮影装置２は、図１に示すように、ヘルメット４の側面に基部６を有している。基部６は、ほぼ半球状に形成され、その周縁部にフランジ８を有し、このフランジ８が両面接着テープ１０によってヘルメット４の側面に取り付けられている。基部６及びフランジ８は、金属製とすることもできるし、合成樹脂製とすることもできる。
【００１３】
基部６の外表面に支持部１２の接触部１４が面接触している。接触部１４は、椀状に形成され、その内表面が基部６の外表面と面接触するように相補な形状に形成されている。この接触部１４の中央及び基部６の中央を通りこれらの中心を通りヘルメット４側に向かう軸線上に、ボルト１６が位置している。このボルト１６にナット１８が螺合して、接触部１４を基部６に結合すると共に、このボルト１６の回りに接触部１４が回転自在である。２０は座金である。
【００１４】
この接触部１４の周縁部からヘルメット４の上側に向かって腕部２２が伸び、その先端部が下方にＵ字状に湾曲する用に折り曲げられて取付部２４とされている。この取付部２４の折り曲げられている部分に撮像手段、例えばＣＣＤカメラ２６が、ヘルメット４の前方を撮影するように取り付けられている。なお、ＣＣＤカメラ２６で撮影された撮像信号は、図示していない録画装置に伝送され、この録画装置において録画される。この録画装置は、携帯可能な小型のもので、ヘルメット４を着用した運転者が身に着けており、録画装置にはオン・オフスイッチが設けられ、必要とするときのみ録画することができる。
【００１５】
この取付部２４の接触部１４と反対側の縁部が下方に延長されて、カバー取付部２８とされ、ここにカバー３０がボルト３２とナット３４とによって取り付けられている。カバー３０は、基部６、支持部１２及びＣＣＤカメラ２６を全て覆う箱形に形成されている。支持部１２及びカバー３０も金属製または合成樹脂製とすることができる。
【００１６】
このように構成した撮影装置２は、フランジ８の両面テープ１０を使用してヘルメット２の側面の所望の位置に取り付けられる。そして、カバー３０を手で持ってボルト１６の回りに支持部１２を回転させる。これによって必要とする視野をＣＣＤカメラ２６が撮影可能となる。従って、ヘルメット２を着用した運転者がオートバイに乗っている状態で、撮影する必要が生じた場合、カバー３０をぼると１６の回りに支持部１２を回転させて撮像する必要のある範囲がＣＣＤカメラ２６の視野に入るようにして、録画装置をオンとすることによって、走行中に撮像することが可能となる。しかも、支持部１２を回転させることによって撮影範囲を自由に決定できるので、首を特定の方向に維持しながら走行する必要が無く安全性が高い。さらにカバー３０を手で持って回転させるだけで撮影視野を変更できるので、撮影視野を所望の範囲に調整することが走行中でも容易に行える。また、この撮影装置２は両面テープ１０によってヘルメット４に取り付けられているので、ヘルメット４から比較的容易に取り外すことができ、ＣＣＤカメラ２６のメンテナンスが容易に行える。
【００１７】
なお、上記の実施形態ではＣＣＤカメラ２６を使用したが、これに代えて静止画を撮像するカメラ、いわゆるデジタルカメラを使用することもできる。また、ＣＣＤカメラ２６は、ボルト１６から離れた位置に配置したが、場合によってボルト１６の近傍に配置することもできる。
【符号の説明】
【００１８】
２  撮影装置
４  ヘルメット
６  基部
１２  支持部
１４  接触部
２４  取付部
２６  ＣＣＤカメラ（撮像手段）
【図１】
0003158112.tif 000003
【図２】
0003158112.tif 000004